(57)【要約】【課題】どのような紙質のトイレットペーパーに用いても、トイレットペーパーの先端がわかりやく、摘みやすいようにできる紙出し機であって、また、部品点数の少ない紙出し機を提供する。【解決手段】本体部２１と取付部２２とで構成される紙出し機２０は、ペーパーカバー１３が押圧されることによって、本体部２１が開方向Ｂへ変形し、ペーパーカバー１３の押圧が解除されることによって、本体部２１が元の状態へ復元する。そして、紙出し機２０は、この本体部２１の復元を利用してトイレットペーパー１の先端Ｓを徐々に引き戻すので、トイレットペーパー１の先端Ｓがある位置に達すると、自重によりトイレットペーパー１の本体から離れ、使用者は先端Ｓを簡単に知ることができるとともに、トイレットペーパーを簡単に摘まむことができる。【選択図】図３
0003176144.tif 000002
【実用新案登録請求の範囲】
【請求項１】
トイレットペーパーが保持されるトイレットペーパーホルダーのペーパーカバー内側に取り付けられて使用される紙出し機であって、
前記ペーパーカバーの内側に固定される取付部と、
前記ペーパーカバーの先端に向かって下方側へ曲がるとともに、弾性部材からなる本体部と、を有し、
前記取付部が前記ペーパーカバーの内側に固定されることにより、前記本体部の先端側が前記トイレットペーパーと接触し、前記ペーパーカバーと前記トイレットペーパーとが非接触状態となり、
前記ペーパーカバーが押圧されることによって、前記本体部が開方向へ変形し、
前記ペーパーカバーの押圧が解除されることによって、前記本体部の変形が復元することにより、前記トイレットペーパーが引き戻されることを特徴とする紙出し機。
【請求項２】
前記本体部は、長さが７０．０〜８０．０ｍｍ、厚さ０．２〜０．５ｍｍ、の湾曲板からなることを特徴とする請求項１に記載の紙出し機。
【請求項３】
前記ペーパーカバーが押圧されることにより、前記本体部が開方向へ変形した際、
前記本体部の先端は、前記ペーパーカバーの先端よりも上流側に位置し、
前記ペーパーカバーの先端が前記トイレットペーパーと接触することを特徴とする請求項２に記載の紙出し機。
【請求項４】
前記湾曲板の角部は、面取り加工されていることを特徴とする請求項２に記載の紙出し機。
【請求項５】
請求項１から４の何れかに記載の紙出し機を備えることを特徴とするトイレットペーパーホルダー。
【考案の詳細な説明】
【技術分野】
【０００１】
本考案は、トイレに備え付けられているトイレットペーパーホルダーに取り付けられて使用される紙出し機及びこの紙出し機を備えるトイレットペーパーホルダーに関する。
【背景技術】
【０００２】
トイレットペーパーを使用する際、トイレットペーパーの端部がわかり難かったり、ペーパーを摘み難かったりすることがある。そこで、ペーパーを摘み易くするため、特許文献１、特許文献２に記載されているようなトイレットペーパー送り出し機が知られている。
【０００３】
この特許文献１、特許文献２に記載されているトイレットペーパー送り出し機は、ホルダーのペーパーカバー先端でペーパーをカットする際に、つまり使用者がペーパーカバーをトイレットペーパー側へ押圧した時には、送り出し部材が当初の位置から後方側へ退避する構成となっている。そして、ペーパーをカットし終わり、使用者がペーパーホルダーから手を離すと、送り出し部材が当初の位置へ復元するようになっており、この復元する動作によってトイレットペーパーを引き出し方向に送り出すよう構成されている。
【先行技術文献】
【特許文献】
【０００４】
【特許文献１】実開平７−１６６９６号公報
【特許文献２】実用新案登録第３１６７７４７号公報
【考案の開示】
【考案が解決しようとする課題】
【０００５】
トイレットペーパーは安価なものから高価なものまで様々なものがあり、その品質も様々である。そして、公衆トイレ等では、一般的に、薄い紙質のものを密に巻いたようなトイレットペーパーが用いられることが多い。
そのため、特許文献１、特許文献２に記載されている、引き出し方向にトイレットペーパーを送り出す構成の送り出し機を、上記のような公衆トイレ等でよく用いられるトイレットペーパーに用いると、紙の先端がトイレットペーパーの本体に密着した状態のまま回転してしまい、紙の先端がわかり難かったり、摘み難かったりという問題がある。
【０００６】
また、特許文献１、特許文献２に記載されている送り出し機の場合、トイレットペーパーを引き出し方向に送り出すために、少なくとも、トイレットペーパーホルダーに固定するための固定部材と、バネ部材と、送り出し部材が必要となる。
【０００７】
そこで、本考案者はこのような問題を解決するためになされたものであり、どのような紙質のトイレットペーパーに用いても、トイレットペーパーの先端がわかりやく、摘みやすいようにできる紙出し機であって、また、部品点数の少ない紙出し機を提供することを目的とする。
【課題を解決するための手段】
【０００８】
上記目的を達成するため、本考案の第１の態様は、トイレットペーパーが保持されるトイレットペーパーホルダーのペーパーカバー内側に取り付けられて使用される紙出し機であって、前記ペーパーカバーの内側に固定される取付部と、前記ペーパーカバーの先端に向かって下方側へ曲がるとともに、弾性部材からなる本体部と、を有し、前記取付部が前記ペーパーカバーの内側に固定されることにより、前記本体部の先端側が前記トイレットペーパーと接触し、前記ペーパーカバーと前記トイレットペーパーとが非接触状態となり、前記ペーパーカバーが押圧されることによって、前記本体部が開方向へ変形し、前記ペーパーカバーの押圧が解除されることによって、前記本体部の変形が復元することにより、前記トイレットペーパーが引き戻されることを特徴とする。
【０００９】
本考案の第１の態様によれば、紙出し機を構成する本体部は、ペーパーカバーが押圧されると開方向へ変形し、ペーパーカバーの押圧が解除されると元の状態へ復元するようになっている。したがって、紙出し機は、本体部の復元を利用して、トイレットペーパーを引き戻すので、トイレットペーパーの先端が徐々に引き戻され、ある位置に達すると自重によりトイレットペーパー本体から先端が離れることになり、使用者は、トイレットペーパーの先端を簡単に知ることができるとともに、トイレットペーパーを簡単に摘まむことができる。また、紙出し機は、取付部と本体部とで構成することができ、部品点数の少ないものとなっている。
【００１０】
また、本考案の第２の態様は、第１の態様にかかる紙出し機であって、前記本体部は、長さが７０．０〜８０．０ｍｍ、厚さ０．２〜０．５ｍｍ、の湾曲板からなることを特徴とする。
【００１１】
本考案の第２の態様によれば、一般的なトイレットペーパーホルダーに対して紙出し機を用いることができる。
【００１２】
また、本考案の第３の態様は、第２の態様にかかる紙出し機であって、前記ペーパーカバーが押圧されることにより、前記本体部が開方向へ変形した際、前記本体部の先端は、前記ペーパーカバーの先端よりも上流側に位置し、前記ペーパーカバーの先端が前記トイレットペーパーと接触することを特徴とする。
【００１３】
本考案の第３の態様によれば、使用者はトイレットペーパーの切断をペーパーカバーにより行うことができる。
【００１４】
また、本考案の第４の態様は、第２の態様にかかる紙出し機であって前記湾曲板の角部は、面取り加工されていることを特徴とする。
【００１５】
本考案の第４の態様によれば、紙出し機の角部によってトイレットペーパーの表面が傷つけられることを防ぐことができる。
【００１６】
また、本考案の第５の態様は、第１から４の態様にかかる前記紙出し機を備えることを特徴とするトイレットペーパーホルダーである。
【００１７】
本考案の第５の態様によれば、上述の効果を奏するトイレットペーパーホルダーを提供することができる。
【図面の簡単な説明】
【００１８】
【図１】本考案の一実施形態におけるトイレットペーパーホルダーの斜視図である。
【図２】本考案の一実施形態における紙出し機の斜視図である。
【図３】本考案の一実施形態における紙出し機が装着されたトイレットペーパーホルダーの動作を示す断面図である。
【図４】本考案の一実施形態における紙出し機が装着されたトイレットペーパーホルダーにより、トイレットペーパーの先端が現れるまでの動作を示す断面図である。
【考案を実施するための形態】
【００１９】
以下、本考案の実施形態を図面を用いて説明する。ただし、以下に示す実施形態は、本考案の技術思想を具体化するための紙出し機及びトイレットペーパーホルダーの一例を示すものであって、本考案をこの紙出し機及びトイレットペーパーホルダーに特定することを意図するものではなく、本考案は実用新案登録請求の範囲に含まれるその他の実施形態のものにも適応し得るものである。
【００２０】
本考案の一実施形態に係るトイレットペーパーホルダー１０の斜視図を図１に示す。なお、図１には、このトイレットペーパーホルダー１０にトイレットペーパー１が保持されている状態が示されている。トイレットペッパーホルダー１０は、固定部１１と、２つのサイドカバー１２ａ，１２ｂと、ペーパーカバー１３を備えている。
【００２１】
固定部１１は、図示していないトイレ内の壁にトイレットペーパーホルダー１０を固定するためのものである。この固定部１１をトイレの壁へ接触させ、図示しないネジや接着剤等を用いて、トイレットパーパーホルダー１０が壁に固定される。
【００２２】
サイドカバー１２ａ，１２ｂは、固定部１１の両側から、トイレの壁と直交する方向に伸びており、サイドカバー１２ａ，１２ｂの内側に形成されている保持機構（図示せず）によって、トイレットペーパー１を保持する。
【００２３】
なお、サイドカバー１２ａ，１２ｂの内側でトイレットペーパー１を保持する保持機構については、特に図示していないが、一般的なトイレットペーパーホルダー１０で採用されている保持機構であれば、本考案の紙出し機は適用可能である。具体的には、例えばトイレットペーパー１の中心にある厚紙からなる円筒状の芯材に、保持棒を貫通させ、この保持棒を支持する機構や、サイドカバー１２ａ，１２ｂの各々の内側に、可動する保持部を備える機構等がある。また、固定部１１と、サイドカバー１２ａ，１２ｂは、それぞれ別部材で形成してあってもよいし、金属材或いは樹脂材等を用いて一体に形成してあってもよい。
【００２４】
ペーパーカバー１３は、トイレットペーパー１の上部側を覆うとともに、トイレットペーパー１の形状に倣って、先端１３ａに向かうに従って徐々に下方に曲がっていく形状となっている。そして、この先端１３ａでトイレットペーパー１が切断できるようになっている。ペーパーカバー１３は側部の後端１３ｂの近傍にそれぞれ軸部（図示せず）が設けられている。そして、この軸部がサイドカバー１２ａ，１２ｂのそれぞれで軸支され、ペーパーカバー１３は鉛直方向に回動可能となっている。
【００２５】
このような構成のトイレットペーパーホルダー１０は、サイドカバー１２ａ，１２ｂとの間において、トイレットペーパー１の上部をペーパーカバー１３で覆った状態で、トイレットペーパー１を保持している。
【００２６】
なお、トイレットペーパー１は、市販されているロール状のものであれば、どのようなものでも構わない。そして、トイレットペーパー１の先端Ｓを摘んで引くことにより、トイレットペーパー１は矢印Ａで示した引き出し方向に回転する。
【００２７】
次に、上述したこのトイレットペーパーホルダー１０に装着されている紙出し機２０について説明する。図２には紙出し機２０の斜視図が示されている。
【００２８】
この紙出し機２０は、トイレットペーパーホルダー１０のペーパーカバー１３の内側に固定されて用いられるものであり、後述するようにトイレットペーパー１を引き出し方向Ａとは逆の方向（引き戻し方向）に回転させるものである。この紙出し機２０は、取付部２１と、本体部２２とで構成されている。
【００２９】
本体部２１は、厚さが約０．３ｍｍ、横方向の幅が大体トイレットペーパー１の幅と同じ程度の約１１５ｍｍ、縦方向の長さが約７５ｍｍからなる湾曲形状の板部材であり、弾性を有する樹脂で形成されたものである。
【００３０】
より詳しくは、湾曲形状の板部材からなる本体部２１は、先端２１ａ側が下方向に湾曲している。そして、この湾曲は、ペーパーカバー１３の湾曲よりも大きく（曲率が大きく）なっている。したがって、後述の図３（ａ）等にも示しているように、紙出し機２０をペーパーカバー１３の内側に取り付けられた状態でトイレットペーパー１を保持すると、本体部２１の先端２１ａがトイレットペーパー１の表面と接触しており、ペーパーカバー１３はトイレットペーパー１とは非接触の状態になっている。
【００３１】
また、弾性を有する本体部２１は、断面視における変曲点の近くを上方から押圧すると、矢印Ｂで示すように、湾曲の内側が広がっていく方向（開方向）へ変形し、押圧を止めるともとの湾曲形状に復元するようになっている。したがって、後述の図３（ｂ）等にも示しているように、ペーパーカバー１３が押圧されると、紙出し機２０の本体部２１の湾曲内側が開方向へ広がっていき、ペーパーカバー１３の先端１３ａがトイレットペーパー１の表面と接触状態になる。
【００３２】
また、この本体部２１は、先端２１ａの角部２１ｃに面取り加工が施されている。したがって、紙出し機２０は、角部２１ｃにおいて、トイレットペーパー１に対する傷等を与え難くなっている。
【００３３】
なお、樹脂で形成されている本体部２１は、具体的には、例えばポリカーボネイトや、ポリエチレンテレフタレート等を用いて形成することができる。また、樹脂に限定されるわけではなく、本体部２１は弾性を有するものであれば例えばアルミ板等の金属を用いて形成することもできる。
【００３４】
また、本体部２１の大きさは本実施形態のものに限られるものではなく、厚さは０．１〜０．５ｍｍ、縦方向の長さが７０．０〜８０．０ｍｍの範囲で適用可能である。なお、縦方向の長さについては、８０．０ｍｍより長くすることも可能ではあるが、あまり長すぎると本体部２１の先端２１ａが、後述の図３（ｂ）の状態において、ペーパーカバー１３の先端１３ａよりも下流側に位置することになる。この場合、本体部２１の先端２１ａでトイレットペーパー１を切断しなければならないので、先端２１ａにもトイレットペーパー１を分断する機能が必要になる。したがって、本体部２１の長さは、本体部２１の先端２１が、ペーパーカバー１３の先端１３ａよりも上流側に位置するような長さであることが好ましい。
【００３５】
また、図２においては、本体部２１は連続して徐々に曲がっていく湾曲形状になっているが、押圧による開方向Ｂへの変形及び押圧を解除することによる復元が可能であれば、くの字状のように屈折して曲がっていく形状でも構わない。
【００３６】
取付部２２は、紙出し機２０をペーパーカバー１３の内側（トイレットペーパー１が位置する側）に固定するために用いられるものであり、本実施形態においては強力な粘着性を有するテープからなっている。より具体的には、紙出し機２０を構成する本体部２１の後端２１ｂ側において、本体部２１の横方向に沿ってテープが貼り付けられている。そして、テープからなる取付部２２により、既にトイレ内に設置されているトイレットペーパーホルダーであっても、この紙出し機２０を簡単に後付けすることができる。
【００３７】
なお、本実施形態において、紙出し機２０を構成する本体部２１と取付部２２とは、最初はそれぞれ別体となっており、ペーパーカバー１３の内側に紙出し機２０を固定する際に、本体部２１と取付部２２とが一体となるようになっている。
また、取付部２２は紙出し機２０をペーパーカバー１３の内側に強固に固定できるものであればテープ以外のものでもよく、例えば接着剤やネジ等からなるものでも構わない。
【００３８】
次に、図３を用いて、紙出し機２０がペーパーカバー１３の内側に取り付けられた状態における動作について、図１のＸ−Ｘでの断面図により説明する。
【００３９】
まず、図３（ａ）に示すように、使用者がペーパーカバー１３の先端１３ａ付近を矢印Ｃで示す押圧方向Ｃへ本人の指等で押圧する。この押圧動作に連動して、回動可能なペーパーカバー１３は押圧方向Ｃに向かって沈み込むことになる。
この時、ペーパーカバー１３の沈み込みにより本体部２１の全体が押圧方向Ｃに向かって押圧されるので、押圧動作に連動して本体部２１が開方向Ｂに徐々に変形していく。
【００４０】
次に、図３（ｂ）に示すように、押圧動作を続けると、ペーパーカバー１３の先端１３ａがトイレットペーパー１と接触状態になり、ペーパーカバー１３の沈み込みが止まる。この状態で、紙出し機２０は開方向Ｂへの変形が最大となっており、本体部２１の内側がトイレットペーパー１の表面と接触した状態となる。
この時、この紙出し機２０の開方向Ｂへの変形によって、トイレットペーパー１が特に引き出し方向Ａに回転するようなことはなく、先端Ｓの位置は変わらないか、或いは若干変位する程度である。
【００４１】
次に、図３（ｃ）に示すように、押圧動作を解除すると、紙出し機２０の本体部２１が元の状態に復元（開方向Ｂとは逆の方向Ｂ´へと戻る）する。この本体部２１の復元により、ペーパーカバー１３とトイレットペーパー１が再び非接触状態となり、また、トイレットペーパー１が引き出し方向Ａとは逆方向である引き戻し方向Ｄへ回転させられることになる。
そして、トイレットペーパー１の引き戻し方向Ｄへの回転により、先端Ｓの位置が上流側へと移動する。
【００４２】
この動作を繰り返すことにより、トイレットペーパー１の先端Ｓが上流側へどんどん移動していくとともに、トイレットペーパー１の先端Ｓがある位置へ達すると、トイレットペーパー１の自重によって垂れ下がることになる。
【００４３】
図４には、トイレットペーパー１が引き出し方向Ａとは逆方向の引き戻し方向Ｄへ回転させられることにより、先端Ｓの位置が徐々に上流側へと移動していき、自重により垂れ下がるまでの状況が、図１のＸ−Ｘでの断面図により示されている。
【００４４】
図３（ａ）〜（ｂ）の動作が繰り返されることによって、図４（ａ）に示すように、本体２１の復元に連動し、先端Ｓの位置がどんどん上流側へ後退していく。
そして、図４（ｂ）に示すように、先端Ｓがある位置に達すると、自重により先端Ｓがトイレットペーパー１の本体から剥離し、図４（ｃ）の破線矢印に示すように、徐々に先端Ｓがトイレットペーパー１の本体から垂れ下がっていく。
【００４５】
そして、使用者は、垂れ下がった箇所を摘まんで、イレットペーパー１を任意の長さまで引き出し方向Ａへ引き出し、ペーパーカバー１３を押圧方向Ｃへ押圧した状態（図３（ｂ）の状態）で、先端１３ａによりトイレットペーパー１を切断して使用する。
【００４６】
このように、本実施形態においては、紙出し機２０は、ペーパーカバー１３が押圧されることによって、本体部２１が開方向Ｂへ変形し、ペーパーカバー１３の押圧が解除されることによって、本体部２１が元の状態へ復元する。そして、紙出し機２０は、この本体部２１の復元を利用してトイレットペーパー１の先端Ｓを徐々に引き戻す構成としている。したがって、トイレットペーパー１の先端Ｓがある位置に達すると、自重によりトイレットペーパー１の本体から離れるので、先端Ｓを簡単に知ることができるとともに、トイレットペーパーを簡単に摘まむことができる。
【００４７】
なお、紙出し機２０によってトイレットペーパー１の先端Ｓが引き戻される際の移動量は使用者が押圧する際の力加減によって変わってくるものではあるが、本実施形態においては、押圧動作を大体３〜５回程度繰り返すことによって、トイレットペーパー１の先端Ｓが自重により垂れ下がる距離まで移動することができた。
【００４８】
また、特許文献１、特許文献２に記載されているような、トイレットペーパー送り出し機の場合、トイレットペーパーを使用した後に紙が送り出されている。したがって、次に別の使用者が、このトイレットペーパーを使用する時、トイレットペーパーの先端が既に見えている状態なので、通常次の使用者はそのままトイレットペーパーを摘まもうとしてしまう。しかしながら、送り出し機による紙の送り出し量には限界があるので、既に見えている先端を摘まもうとした場合、少ししか露出してなければトイレットペーパーの先端は摘み難いものである。
【００４９】
一方で、本実施形態の紙出し機２０を用いる場合、トイレットペーパーを使用した後に紙は引き戻されている。したがって、次に別の使用者がこのトイレットペーパーを使用する場合、通常であればトイレットペーパーの先端Ｓは、後退しているので見えていない（なお、図３においては、わかりやすくするために先端Ｓが見えている状態から説明している）。そこで、使用者の心理としては、まずトイレットペーパー１の先端Ｓを探そうとする。この時、ペーパーカバー１３とトイレットペーパー１との間が、紙出し機２０により非接触状態となっているので、使用者の心理として、ペーパーカバー１３を押圧しようとういう心理が働きやすくなる。そして、押圧動作と押圧解除動作を行うと、トイレットペーパー１が引き戻されるので、使用者は紙出し機２０の動作、作用を理解し易い。つまり、紙出し機２０は、使用者にとって動作が単純で、直感的に理解しやすいものとなっている。
【００５０】
なお、本実施形態においては、紙出し機２０をトイレットペーパーホルダー１０に後付けで装着する構成について説明したが、トイレットペーパーホルダー１０と紙出し機２０とを最初から一体化しておき、紙出し機２０付きのトイレットペーパーホルダー１０をトイレ内に取り付ける構成であっても構わない。
【００５１】
また、本実施形態においては固定部１１の両側から伸びる２つのサイドカバー１２ａ，１２ｂが備わっているトイレットペーパーホルダー１０を示しているが、１つのサイドカバーからなるトイレットペーパーホルダー１０にも、本考案は適用可能である。
【符号の説明】
【００５２】
１…トイレットペーパー
１０…トイレットペーパーホルダー
１１…固定部
１２ａ，１２ｂ…サイドカバー
１３…ペーパーカバー
２０…紙出し機
２１…本体部
２１ａ…先端
２１ｂ…
２１ｃ…面取り部
２２…取付部
【図１】
0003176144.tif 000003
【図２】
0003176144.tif 000004
【図３】
0003176144.tif 000005
【図４】
0003176144.tif 000006